(57)【特許請求の範囲】
【請求項１】
除草剤散布装置に除草剤を自動散布させるための除草剤自動散布制御装置であって、
位置検出手段から現在位置の緯度・経度からなる現在位置データを取得する現在位置データ取得部と、
前記現在位置データに基づいて、現在位置に対応する散布区間内の単位区間を特定する単位区間特定部と、
記憶手段から前記単位区間ごとに設定された法面の構造を含む道路関係データを取得する道路関係データ取得部と、
記憶手段から前記法面の構造に応じた散布範囲に除草剤を散布するための散布条件データを取得する散布条件データ取得部と、
前記道路関係データと前記散布条件データとに基づいて、前記単位区間ごとの散布条件を決定する散布条件決定部と、
前記除草剤散布装置に対して、前記単位区間ごとに前記散布条件を出力する散布条件出力部と
を有する除草剤自動散布制御装置。
【請求項２】
前記除草剤散布装置は、除草剤を散布する複数の散布ノズルを鉛直方向に異なる高さで備えており、前記散布条件データには、前記法面が盛土の場合、少なくとも下方の前記散布ノズルから散布することが設定されているとともに、前記法面が切土の場合、少なくとも上方の前記散布ノズルから散布することが設定されている、請求項１に記載の除草剤自動散布制御装置。
【請求項３】
前記除草剤散布装置は、除草剤の散布角度を自動調整可能な角度可変散布ノズルを有しており、前記散布条件データには、前記法面が盛土の場合、斜め下方の散布角度が設定されているとともに、前記法面が切土の場合、盛土の前記散布角度よりも上方の散布角度が設定されている、請求項１または請求項２に記載の除草剤自動散布制御装置。
【請求項４】
前記除草剤散布装置を搭載した除草剤散布車の走行速度を取得する走行速度取得部を有しており、前記散布条件データには、前記走行速度に応じて、前記除草剤の噴射量および／または前記角度可変散布ノズルの散布角度が設定されている、請求項３に記載の除草剤自動散布制御装置。
【請求項５】
前記除草剤散布装置は、互いに異なる種別の除草剤を散布可能な複数の散布ノズルを有しており、前記散布条件データには、雑草の種別に応じて、前記雑草に適した除草剤を散布する散布ノズルが設定されている、請求項１から請求項４のいずれかに記載の除草剤自動散布制御装置。
【請求項６】
前記道路関係データには、前記法面に生育する雑草の種別が含まれているとともに、前記散布条件データには、前記雑草の種別ごとに適した除草剤が設定されており、前記散布条件決定部は、記憶手段から前記除草剤散布装置に積載されている除草剤の種別を取得し、当該除草剤が前記単位区間における雑草に適した除草剤に一致しない場合、当該単位区間では散布しないという散布条件を決定する、請求項１から請求項５のいずれかに記載の除草剤自動散布制御装置。
【請求項７】
前記道路関係データには、道路構造物の種別が含まれているとともに、前記散布条件データには、前記道路構造物の種別ごとに散布するか否かが設定されており、前記散布条件決定部は、前記単位区間における道路構造物に応じて散布条件を決定する、請求項１から請求項６のいずれかに記載の除草剤自動散布制御装置。
【請求項８】
請求項１から請求項７のいずれかに記載の除草剤自動散布制御装置から入力された散布条件に応じて除草剤を散布する除草剤散布装置。
【請求項９】
請求項１から請求項８のいずれかに記載の除草剤自動散布制御装置と、前記除草剤自動散布制御装置から入力された散布条件に応じて除草剤を散布する除草剤散布装置とを有する除草剤自動散布制御システム。
【請求項１０】
除草剤散布装置に除草剤を自動散布させるための除草剤自動散布制御プログラムであって、
位置検出手段から現在位置の緯度・経度からなる現在位置データを取得する現在位置データ取得ステップと、
前記現在位置データに基づいて、現在位置に対応する散布区間内の単位区間を特定する単位区間特定ステップと、
記憶手段から前記単位区間ごとに設定された法面の構造を含む道路関係データを取得する道路関係データ取得ステップと、
記憶手段から前記法面の構造に応じた散布範囲に除草剤を散布するための散布条件データを取得する散布条件データ取得ステップと、
前記道路関係データと前記散布条件データとに基づいて、前記単位区間ごとの散布条件を決定する散布条件決定ステップと、
前記除草剤散布装置に対して、前記単位区間ごとに前記散布条件を出力する散布条件出力ステップと
をコンピュータに実行させる除草剤自動散布制御プログラム。
【請求項１１】
除草剤散布装置に除草剤を自動散布させるための除草剤自動散布制御方法であって、
位置検出手段から現在位置の緯度・経度からなる現在位置データを取得する現在位置データ取得ステップと、
前記現在位置データに基づいて、現在位置に対応する散布区間内の単位区間を特定する単位区間特定ステップと、
記憶手段から前記単位区間ごとに設定された法面の構造を含む道路関係データを取得する道路関係データ取得ステップと、
記憶手段から前記法面の構造に応じた散布範囲に除草剤を散布するための散布条件データを取得する散布条件データ取得ステップと、
前記道路関係データと前記散布条件データとに基づいて、前記単位区間ごとの散布条件を決定する散布条件決定ステップと、
前記除草剤散布装置に対して、前記単位区間ごとに前記散布条件を出力する散布条件出力ステップと
を有する除草剤自動散布制御方法。
【発明の詳細な説明】
【技術分野】
【０００１】
本発明は、道路沿いに生えている雑草を除去するために除草剤散布装置に除草剤を自動散布させるための除草剤自動散布制御装置、除草剤散布装置、除草剤自動散布制御システム、除草剤自動散布制御プログラムおよび除草剤自動散布制御方法に関するものである。
【背景技術】
【０００２】
高速道路等においては、路肩側の法面に繁茂する雑草を放置すると、距離標、反射板、防護柵等が見えにくくなって交通安全上の障害となったり、道路沿いにある排水溝を詰まらせてしまう場合がある。このため、高速道路等を維持・管理する上で法面に対する除草作業は必要不可欠な作業とされている。
【０００３】
従来、当該除草作業は、除草剤を噴霧する噴霧器を持った作業員によって手作業で行われている。例えば、特開２０１１−１９４４８号公報には、作業者が法面を移動しながら除草剤を散布するための除草剤散布装置が開示されている（特許文献１）。
【先行技術文献】
【特許文献】
【０００４】
【特許文献１】特開２０１１−１９４４８号公報
【発明の概要】
【発明が解決しようとする課題】
【０００５】
しかしながら、特許文献１に記載の発明を含め従来の手作業による除草作業は、風等により除草剤が漂流飛散（ドリフト）し、作業員が浴びてしまうおそれがある。また、噴霧器の積載量が少なく、何度も回送して積み込む必要があるため作業効率が低いという問題もある。さらに、噴霧器の吐出量が少なく作業が長時間に及ぶため、作業員の体力的な負担が大きい上、作業コストがかかるという問題もある。
【０００６】
本発明は、このような問題点を解決するためになされたものであって、法面の構造に応じた散布範囲に除草剤を自動的に散布でき、作業員の安全性や作業効率を向上するとともに、作業コストを低減することができる除草剤自動散布制御装置、除草剤散布装置、除草剤自動散布制御システム、除草剤自動散布プログラムおよび除草剤自動散布制御方法を提供することを目的としている。
【課題を解決するための手段】
【０００７】
本発明に係る除草剤自動散布制御装置は、除草剤散布装置に除草剤を自動散布させるための除草剤自動散布制御装置であって、位置検出手段から現在位置の緯度・経度からなる現在位置データを取得する現在位置データ取得部と、前記現在位置データに基づいて、現在位置に対応する散布区間内の単位区間を特定する単位区間特定部と、記憶手段から前記単位区間ごとに設定された法面の構造を含む道路関係データを取得する道路関係データ取得部と、記憶手段から前記法面の構造に応じた散布範囲に除草剤を散布するための散布条件データを取得する散布条件データ取得部と、前記道路関係データと前記散布条件データとに基づいて、前記単位区間ごとの散布条件を決定する散布条件決定部と、前記除草剤散布装置に対して、前記単位区間ごとに前記散布条件を出力する散布条件出力部とを有する。
【０００８】
また、本発明の一態様として、前記除草剤散布装置は、除草剤を散布する複数の散布ノズルを鉛直方向に異なる高さで備えており、前記散布条件データには、前記法面が盛土の場合、少なくとも下方の前記散布ノズルから散布することが設定されているとともに、前記法面が切土の場合、少なくとも上方の前記散布ノズルから散布することが設定されていてもよい。
【０００９】
さらに、本発明の一態様として、除草剤の散布角度を自動調整可能な角度可変散布ノズルを有しており、前記散布条件データには、前記法面が盛土の場合、斜め下方の散布角度が設定されているとともに、前記法面が切土の場合、盛土の前記散布角度よりも上方の散布角度が設定されていてもよい。
【００１０】
また、本発明の一態様として、前記除草剤散布装置を搭載した除草剤散布車の走行速度を取得する走行速度取得部を有しており、前記散布条件データには、前記走行速度に応じて、前記除草剤の噴射量および／または前記角度可変散布ノズルの散布角度が設定されていてもよい。
【００１１】
さらに、本発明の一態様として、前記除草剤散布装置は、互いに異なる種別の除草剤を散布可能な複数の散布ノズルを有しており、前記散布条件データには、雑草の種別に応じて、前記雑草に適した除草剤を散布する散布ノズルが設定されていてもよい。
【００１２】
また、本発明の一態様として、前記道路関係データには、前記法面に生育する雑草の種別が含まれているとともに、前記散布条件データには、前記雑草の種別ごとに適した除草剤が設定されており、前記散布条件決定部は、記憶手段から前記除草剤散布装置に積載されている除草剤の種別を取得し、当該除草剤が前記単位区間における雑草に適した除草剤に一致しない場合、当該単位区間では散布しないという散布条件を決定してもよい。
【００１３】
さらに、本発明の一態様として、前記道路関係データには、道路構造物の種別が含まれているとともに、前記散布条件データには、前記道路構造物の種別ごとに散布するか否かが設定されており、前記散布条件決定部は、前記単位区間における道路構造物に応じて散布条件を決定してもよい。
【００１４】
また、本発明に係る除草剤散布装置は、上述したいずれかの態様の除草剤自動散布制御装置から入力された散布条件に応じて除草剤を散布するものである。
【００１５】
また、本発明に係る除草剤自動散布制御システムは、上述したいずれかの態様の除草剤自動散布制御装置と、前記除草剤自動散布制御装置から入力された散布条件に応じて除草剤を散布する除草剤散布装置とを有する。
【００１６】
また、本発明に係る除草剤自動散布制御プログラムは、除草剤散布装置に除草剤を自動散布させるための除草剤自動散布制御プログラムであって、位置検出手段から現在位置の緯度・経度からなる現在位置データを取得する現在位置データ取得ステップと、前記現在位置データに基づいて、現在位置に対応する散布区間内の単位区間を特定する単位区間特定ステップと、記憶手段から前記単位区間ごとに設定された法面の構造を含む道路関係データを取得する道路関係データ取得ステップと、記憶手段から前記法面の構造に応じた散布範囲に除草剤を散布するための散布条件データを取得する散布条件データ取得ステップと、前記道路関係データと前記散布条件データとに基づいて、前記単位区間ごとの散布条件を決定する散布条件決定ステップと、前記除草剤散布装置に対して、前記単位区間ごとに前記散布条件を出力する散布条件出力ステップとをコンピュータに実行させるものであり、本発明に係る除草剤自動散布制御方法は、除草剤散布装置に除草剤を自動散布させるための除草剤自動散布制御方法であって、上記各ステップを有するものである。
【発明の効果】
【００１７】
本発明によれば、法面の構造に応じた散布範囲に除草剤を自動的に散布でき、作業員の安全性や作業効率を向上するとともに、作業コストを低減することができる。
【図面の簡単な説明】
【００１８】
【図１】本発明に係る除草剤自動散布制御装置および除草剤散布装置を搭載した除草剤散布車の第１実施形態を示す、（ａ）左側面図、および（ｂ）右側面図である。
【図２】第１実施形態における路肩側除草剤散布装置を示す図である。
【図３】第１実施形態における中央分離帯側除草剤散布装置を示す図である。
【図４】第１実施形態の除草剤自動散布制御装置を示すブロック図である。
【図５】第１実施形態における単位区間データの一例を示す図である。
【図６】第１実施形態における道路関係データの一例を示す図である。
【図７】第１実施形態における散布条件データであって、（ａ）法面の構造や道路構造物に応じて使用する散布ノズル、および（ｂ）雑草の種別に応じた除草剤の種別を示すデータである。
【図８】第１実施形態において、切土区間における散布範囲に除草剤を散布する様子を示す図である。
【図９】第１実施形態において、盛土区間における散布範囲に除草剤を散布する様子を示す図である。
【図１０】第１実施形態において、ガードレール区間における散布範囲に除草剤を散布する様子を示す図である。
【図１１】第１実施形態において、中央分離帯側の散布範囲に除草剤を散布する様子を示す図である。
【図１２】第１実施形態における除草剤自動散布制御方法を示すフローチャート図である。
【図１３】第１実施形態における操作画面である自動散布設定画面の一例である。
【図１４】第１実施形態における散布条件決定処理の一例を示すフローチャート図である。
【発明を実施するための形態】
【００１９】
以下、本発明に係る除草剤自動散布制御装置、除草剤散布装置、除草剤自動散布制御システム、除草剤自動散布制御プログラムおよび除草剤自動散布制御方法の第１実施形態について図面を用いて説明する。
【００２０】
本発明に係る除草剤自動散布制御システムは、図１に示すように、主として、除草剤を散布するための除草剤散布装置１０と、この除草剤散布装置１０に除草剤を自動散布させるための除草剤自動散布制御装置１と、これら除草剤散布装置１０および除草剤自動散布制御装置１を搭載して道路を走行する除草剤散布車１１とから構成されている。以下、各構成について説明する。なお、本発明において、除草剤とは、雑草に対して伸張抑制効果や枯死効果を有する全ての剤を広範囲に含むものである。
【００２１】
除草剤散布車１１は、除草剤自動散布制御装置１および除草剤散布装置１０を搭載し、道路を走行するものである。本第１実施形態において、除草剤散布車１１は、既存の散水車を改造したものである。このため、従来の噴霧器等と比較して、タンク１１ａには、回送が不要なほど大量（１００００リットル程度）の除草剤が積載可能となっている。
【００２２】
除草剤散布装置１０は、除草剤自動散布制御装置１からの制御に基づいて除草剤を散布するものである。本第１実施形態において、除草剤散布装置１０は、図１（ａ）に示すように、除草剤散布車１１の進行方向後方における左側に設けられ、道路の路肩側またはランプの左側に除草剤を散布する路肩側除草剤散布装置１０ａと、図１（ｂ）に示すように、除草剤散布車１１の進行方向後方における右側に設けられ、中央分離帯側またはランプの右側に除草剤を散布する中央分離帯側除草剤散布装置１０ｂとを有している。
【００２３】
路肩側除草剤散布装置１０ａには、除草剤散布車１１の進行方向左方に向けて除草剤を散布する５つの散布ノズル１２が鉛直方向に異なる高さで備えられている。具体的には、図２に示すように、路肩側除草剤散布装置１０ａは、前方上段に設けられた前方上段散布ノズル１２ａと、前方中段に設けられた前方中段散布ノズル１２ｂと、前方下段に設けれた前方下段散布ノズル１２ｃと、後方上段に設けられた後方上段散布ノズル１２ｄと、後方中段に設けられた後方中段ノズル１２ｅとを有している。
【００２４】
中央分離帯側除草剤散布装置１０ｂには、除草剤散布車１１の進行方向右方に向けて除草剤を散布する３つの散布ノズル１２が鉛直方向に異なる高さで備えられている。具体的には、図３に示すように、中央分離帯側除草剤散布装置１０ｂは、上段に設けられた上段散布ノズル１２ｆと、中段に設けられた中段散布ノズル１２ｇと、下段に設けられた下段散布ノズル１２ｈとを有している。なお、中央分離帯側除草剤散布装置１０ｂのノズル数が、路肩側除草剤散布装置１０ａのノズル数と比較して少ないのは、中央分離帯側には通常、雑草が少ないため、除草剤の散布範囲が路肩側と比較して狭くてよいからである。
【００２５】
本第１実施形態において、各散布ノズル１２ａ〜１２ｈは、少なくとも上下方向の散布角度が調整可能に構成されており、所望の散布範囲を確保しうるように予め所定の散布角度で固定されている。例えば、前方中段散布ノズル１２ｂおよび前方下段散布ノズル１２ｃは、盛土または平場の散布範囲をカバーするように散布角度が調整されている。また、前方上段散布ノズル１２ａ、後方上段散布ノズル１２ｄおよび後方中段散布ノズル１２ｅは、切土の散布範囲をカバーするように散布角度が調整されている。
【００２６】
また、各散布ノズル１２ａ〜１２ｈには、各散布ノズル１２ａ〜１２ｈを開閉するための電磁弁１３ａ〜１３ｈが設けられている。これらの電磁弁１３ａ〜１３ｈは、除草剤自動散布制御装置１から出力された制御信号に応じて、各電磁弁１３ａ〜１３ｈの開閉（ＯＮ／ＯＦＦ）を個々に制御し、対応する散布ノズル１２ａ〜１２ｈのそれぞれから除草剤を散布させるようになっている。
【００２７】
なお、本第１実施形態における除草剤散布車１１は、既存の散水車を改造したものである。このため、路肩側除草剤散布装置１０ａ、および中央分離帯側除草剤散布装置１０ｂは、既存の配管から散水ノズルを取り外して、各散布ノズル１２ａ〜１２ｈを取り付けるとともに、各電磁弁１３ａ〜１３ｈおよびその配線を取り付けるだけでよく、除草剤散布車１１に対して容易に着脱可能である。
【００２８】
また、本第１実施形態において、路肩側除草剤散布装置１０ａおよび中央分離帯側除草剤散布装置１０ｂは、除草剤自動散布制御装置１による自動散布モードと、手動操作による手動散布モードに切り換え可能に構成されている。このため、各電磁弁１３ａ〜１３ｈを個別にＯＮ／ＯＦＦするための操作スイッチが、除草剤散布車１１の運転席に設けられている。
【００２９】
つぎに、除草剤自動散布制御装置１は、除草剤散布装置１０を制御し除草剤を自動散布させるためのものである。本第１実施形態において、除草剤自動散布制御装置１は、パーソナルコンピュータやタブレット等のコンピュータから構成されており、図４に示すように、主として、位置検出手段２と、表示入力手段３と、記憶手段４と、演算処理手段５とを有している。以下、各構成手段について詳細に説明する。
【００３０】
位置検出手段２は、除草剤散布車１１に搭載された除草剤自動散布制御装置１ないし除草剤散布車１１の現在位置を検出するものである。本第１実施形態において、位置検出手段２は、ＧＰＳ（Global Positioning System）受信機から構成されており、所定の時間間隔ごとにＧＰＳ衛星からの信号を受信し、現在位置の緯度・経度からなる現在位置データを出力するようになっている。
【００３１】
表示入力手段３は、タッチパネル等で構成されており、後述する散布操作画面等を表示するとともに、除草剤を散布しようとする散布区間、自動散布または手動散布の選択、路肩側または中央分離帯側の選択等を入力するものである。なお、本第１実施形態では、表示機能および入力機能を兼ね備えた表示入力手段３を使用しているが、この構成に限定されるものではなく、表示機能のみを備えた表示手段および入力機能のみを備えた入力手段をそれぞれ別個に有する構成を採用してもよい。
【００３２】
記憶手段４は、各種のデータを記憶するとともに、演算処理手段５が演算処理を行う際のワーキングエリアとして機能するものである。本第１実施形態において、記憶手段４は、ハードディスク、ＲＯＭ（Read Only Memory）、ＲＡＭ（Random Access Memory）、フラッシュメモリ等で構成されており、図４に示すように、プログラム記憶部４１と、単位区間データ記憶部４２と、道路関係データ記憶部４３と、散布条件データ記憶部４４とを有している。以下、各構成部について詳細に説明する。
【００３３】
プログラム記憶部４１には、本第１実施形態の除草剤自動散布制御プログラム１ａがインストールされている。そして、演算処理手段５が除草剤自動散布制御プログラム１ａを実行することにより、除草剤自動散布制御装置１としてのコンピュータを後述する各構成部として機能させるとともに、後述する各ステップを実行させるようになっている。
【００３４】
単位区間データ記憶部４２は、除草剤を散布しようとする散布区間内における各単位区間に対応付けて緯度・経度が設定された単位区間データを記憶するものである。本第１実施形態では、同一条件で散布する区間を一つの単位区間とし、高速道路のキロポスト（ＫＰ）の値で１ｍ単位で設定し、これら各単位区間ごとに対応する緯度・経度が登録されている。なお、単位区間の設定基準は上記キロポストに限定されるものではなく、適宜設定してもよい。また、単位区間の特定に際しては、後述するとおり、いずれかの緯度・経度で特定される地点を中心とする所定形状（円形、正方形等）の範囲内に含まれるか否かによって特定される。
【００３５】
ここで、各単位区間と緯度・経度との対応関係を示す単位区間データの一例を図５に示す。本第１実施形態において、単位区間データは、図５に示すように、高速道路の上り線および下り線に対応する昇順データおよび降順データを有している。そして、各データには、単位区間に相当するキロポスト（ＫＰ）ごとに、対応する緯度・経度が設定されている。
【００３６】
道路関係データ記憶部４３は、散布区間内における単位区間ごとに設定された道路の法面の構造、道路構造物の種別、および道路内外の植生情報等を含む道路関係データを記憶するものである。本第１実施形態において、路肩側またはランプの左側に関する道路関係データの一例を図６に示す。
【００３７】
図６に示すように、法面の構造としては、各単位区間における法面が盛土区間であるか切土区間であるかが登録されている。道路構造物としては、各単位区間ごとにガードレールの有無、および橋梁やトンネル等の散布禁止区間の有無が登録されている。また、植生情報としては、各単位区間において主に生育する雑草の種別や、除草剤を散布すべきではない隣接耕作地の有無等が登録されている
【００３８】
なお、法面の構造については、法面の勾配、法面の長さ等の地形に対応した散布巾を更に登録し、当該散布巾に応じて散布条件が変更されるように設定してもよい。また、中央分離帯側またはランプの右側に関する道路関係データについても同様に設定されており、散布作業を開始する際に、路肩側の道路関係データまたは中央分離帯側の道路関係データのいずれかを選択するようになっている。
【００３９】
散布条件データ記憶部４４は、法面の構造やその他の道路関係データに応じた散布範囲に除草剤を散布するための散布条件データを記憶するものである。本第１実施形態において、散布条件データは、図７（ａ）に示すように、法面の構造や道路構造物に応じて使用する（電磁弁１３をＯＮにする）散布ノズルと、図７（ｂ）に示すように、雑草の種別ごとに適した除草剤の種別とを有している。
【００４０】
具体的には、図８に示すように、法面が切土の場合、路面よりも高い位置まで雑草が繁茂するケースが多いため、路面よりも上方の散布範囲に除草剤を散布することが望ましい。このため、切土の場合の散布条件データとしては、図７（ａ）に示すように、前方上段散布ノズル１２ａ、後方上段散布ノズル１２ｄおよび後方中段散布ノズル１２ｅが選択されている。
【００４１】
一方、法面が盛土の場合、図９に示すように、路面よりも低い位置まで雑草が繁茂するケースが多いため、路面よりも下方の散布範囲に除草剤を散布することが望ましい。このため、盛土の場合の散布条件データとしては、図７（ａ）に示すように、前方中段散布ノズル１２ｂおよび前方下段散布ノズル１２ｃが選択されている。
【００４２】
本第１実施形態では、上記のとおり、法面が盛土の場合、少なくとも下方の散布ノズル１２から散布することが設定されているとともに、法面が切土の場合、少なくとも上方の散布ノズル１２から散布することが設定されている。しかしながら、散布ノズル１２の設定は、上記に限定されるものではなく、作業者の設定操作により適宜変更してもよい。
【００４３】
また、ガードレールが設定されている場合、図１０に示すように、特に切土区間では、ガードレールが除草剤の散布範囲を妨げるケースが多い。このため、ガードレールの下方の空間からも除草剤を散布し散布範囲をカバーすることが望ましい。したがって、ガードレールが設置されている区間の散布条件データとしては、図７（ａ）に示すように、前方下段散布ノズル１２ｃを必須とし、他の散布ノズルについては法面に応じて選択されるものを使用するようになっている。
【００４４】
なお、中央分離帯側に散布する場合には、図１１に示すように、雑草がほぼ水平方向に沿って繁茂するケースが多いため、路面に沿う側方の散布範囲に除草剤を散布することが望ましい。このため、中央分離帯側の散布条件データとしては、図７（ａ）に示すように、中段散布ノズル１２ｇおよび下段散布ノズル１２ｈが選択されている。
【００４５】
以上のように、除草剤を散布しようとする散布範囲に応じて散布ノズル１２を適宜選択しておくことにより、所望の散布範囲に対する散布条件が自動的に決定される。また、路肩側除草剤散布装置１０ａについては、上段および中段における同じ高さ位置に２つの散布ノズル１２を有している。このため、当該高さ位置における散布ノズル１２を適宜増減させることにより、散布量を調整することも可能となる。
【００４６】
演算処理手段５は、ＣＰＵ（Central Processing Unit）等で構成されており、記憶手段４にインストールされた除草剤自動散布制御プログラム１ａを実行することにより、図４に示すように、散布区間設定部５１と、現在位置データ取得部５２と、単位区間特定部５３と、道路関係データ取得部５４と、散布条件データ取得部５５と、散布条件決定部５６と、散布条件出力部５７として機能するようになっている。以下、各構成部について詳細に説明する。
【００４７】
散布区間設定部５１は、除草剤を散布する散布区間および散布方向（路肩側または中央分離帯側）を設定するものである。具体的には、散布区間設定部５１は、表示入力手段３から作業者による入力データを取得し、散布区間の始点および終点を設定するとともに、散布方向を道路関係データ取得部５４に提供する。
【００４８】
現在位置データ取得部５２は、位置検出手段２から現在位置の緯度・経度からなる現在位置データを取得するものである。本第１実施形態において、現在位置データ取得部５２は、位置検出手段２から所定の時間間隔おきに出力された現在位置データを逐一取得し、単位区間特定部５３に提供するようになっている。
【００４９】
単位区間特定部５３は、現在位置データに基づいて、現在位置に対応する単位区間を特定するものである。本第１実施形態において、単位区間特定部５３は、現在位置データ取得部５２により取得された緯度・経度と、単位区間データ記憶部４２に格納されている単位区間データとを照合し、現在位置に対応する単位区間を特定するようになっている。
【００５０】
なお、本第１実施形態において、単位区間特定部５３は、特定した単位区間が所定回数連続して上り線または下り線に沿っているか否かを判定する。そして、上り線に沿って連続していれば上述した昇順データのみを参照する一方、下り線に沿って連続していれば上述した降順データのみを参照することで、単位区間の特定処理を迅速化している。
【００５１】
道路関係データ取得部５４は、記憶手段４から単位区間ごとに設定された道路関係データを取得するものである。具体的には、道路関係データ取得部５４は、散布区間設定部５１により設定された散布区間および散布方向に対応する道路関係データを参照する。そして、当該道路関係データのうち、単位区間特定部５３により特定された単位区間に対応する道路関係データを道路関係データ記憶部４３から取得し、散布条件決定部５６に提供する。
【００５２】
散布条件データ取得部５５は、記憶手段４から法面の構造等に応じた散布範囲に除草剤を散布するための散布条件データを取得するものである。具体的には、散布条件データ取得部５５は、散布条件データ記憶部４４から散布条件データを取得し、散布条件決定部５６に提供するようになっている。
【００５３】
散布条件決定部５６は、道路関係データと散布条件データとに基づいて、単位区間ごとの散布条件を決定するものである。本第１実施形態において、散布条件決定部５６は、道路関係データ取得部５４によって取得された道路関係データと、散布条件データ取得部５５によって取得された散布条件データとを照合し、各単位区間ごとに散布条件を決定する。
【００５４】
具体的には、散布条件決定部５６は、当該単位区間における法面が切土の場合、前方上段散布ノズル１２ａ、後方上段散布ノズル１２ｄおよび後方中段散布ノズル１２ｅから散布するという散布条件を決定する。一方、当該単位区間における法面が盛土の場合、前方中段散布ノズル１２ｂおよび前方下段散布ノズル１２ｃから散布するという散布条件を決定する。
【００５５】
また、本第１実施形態において、記憶手段４には、除草剤散布装置１０に積載されている除草剤の種別が予め登録されている。このため、散布条件決定部５６は、記憶手段４から現在積載されている除草剤の種別を取得し、当該単位区間における雑草に適した除草剤の種別（図７（ｂ））と照合する。そして、現在積載されている除草剤が、当該単位区間における雑草に適した除草剤と一致する場合、当該単位区間に散布するという散布条件を決定する。一方、現在積載されている除草剤が、当該単位区間における雑草に適した除草剤に一致しない場合、当該単位区間では散布しないという散布条件を決定する。
【００５６】
さらに、本第１実施形態において、散布条件決定部５６は、単位区間における道路構造物に応じて散布条件を決定する。具体的には、散布条件決定部５６は、当該単位区間における道路構造物がガードレールである場合、法面の構造に関わらず、少なくとも前方下段散布ノズル１２ｃからは散布するという散布条件を決定する。また、散布条件決定部５６は、当該単位区間における道路構造物が橋梁やトンネルである場合、雑草が存在しないため、他の条件に関わらず、当該単位区間では散布しないという散布条件を決定する。さらに、散布条件決定部５６は、当該単位区間における隣接耕作地が存在する場合にも、当該単位区間では散布しないという散布条件を決定するようになっている。
【００５７】
散布条件出力部５７は、路肩側除草剤散布装置１０ａまたは中央分離帯側除草剤散布装置１０ｂに対して、単位区間ごとに散布条件を出力するものである。本第１実施形態において、散布条件出力部５７は、単位区間特定部５３により特定された現在の単位区間について、散布条件決定部５６により決定された散布条件を読み出し、路肩側除草剤散布装置１０ａまたは中央分離帯側除草剤散布装置１０ｂに出力するようになっている。
【００５８】
つぎに、本第１実施形態の除草剤自動散布制御プログラム１ａによって実行される除草剤自動散布制御装置１、除草剤散布装置１０および除草剤自動散布制御方法の作用について、図１２を参照しつつ説明する。
【００５９】
本第１実施形態の除草剤自動散布制御プログラム１ａによって実行される除草剤自動散布制御装置１を用いて、除草剤を自動散布する場合、まず、作業者は、表示入力手段３に表示される操作画面（図示せず）において散布区間を選択する。そうすると、図１３に示すような自動散布設定画面が表示されるため、散布モード（自動散布または手動散布）および除草剤の散布方向（路肩側または中央分離帯側）を選択する。これにより、散布区間設定部５１が、これから除草剤を散布する散布区間および散布方向を設定する（ステップＳ１）。なお、本第１実施形態においては、自動散布モードが選択され、かつ、路肩側への散布が選択された例について説明する。
【００６０】
散布区間の設定後、除草剤散布車１１が散布区間の始点から走行を開始すると、現在位置取得データ取得部５２が、位置検出手段２から所定の時間間隔おきに現在位置データを取得する（ステップＳ２）。そして、単位区間特定部５３が、当該現在位置データを構成する緯度・経度と、単位区間データ記憶部４２内の単位区間データとを照合し、現在位置に対応する単位区間を特定する（ステップＳ３）。これにより、除草剤散布車１１が走行中の単位区間が常に特定される。
【００６１】
現在位置に対応する単位区間が特定されると、当該単位区間が散布区間の最終区間であるか否かが判定される（ステップＳ４）。その結果、最終区間であれば（ステップＳ４：ＹＥＳ）、本自動散布制御処理を終了する。一方、当該単位区間が最終区間でなければ（ステップＳ４：ＮＯ）、当該単位区間が、前回特定された単位区間と同一か否かが判定される（ステップＳ５）。
【００６２】
当該判定の結果、同一であれば（ステップＳ５：ＹＥＳ）、再び現在位置データ取得ステップ（Ｓ２）へと戻り、同一でなければ（ステップＳ５：ＮＯ）、次の処理（ステップＳ６）へと進む。これにより、除草剤散布車１１が同じ単位区間内を走行中は散布条件が変更されず、新たな単位区間に入る度に、当該単位区間に対応する散布条件が設定される。
【００６３】
つづいて、除草剤散布車１１が新たな単位区間に入ると、道路関係データ取得部５４が、特定された単位区間に対応する道路関係データを道路関係データ記憶部４３から取得するとともに（ステップＳ６）、散布条件データ取得部５５が、散布条件データ記憶部４４から散布条件データを取得する（ステップＳ７）。そして、取得された道路関係データおよび散布条件データに基づいて、散布条件決定部５６が散布条件を決定するための散布条件決定処理を実行する（ステップＳ８）。この散布条件決定処理の詳細については、図１４にて後述する。
【００６４】
散布条件決定部５６により各単位区間ごとの散布条件が決定されると、散布条件出力部５７が、現在の単位区間について決定された散布条件（各散布ノズル１２ａ〜１２ｅのＯＮ／ＯＦＦ）を読み出し、路肩側除草剤散布装置１０ａに出力して（ステップＳ９）、再びステップＳ２の処理に戻る。これにより、路肩側除草剤散布装置１０ａは、各単位区間ごとに、法面の構造、道路構造物、雑草の種別等に応じた散布条件が自動的に設定され、当該散布条件に従って除草剤を散布する。
【００６５】
つぎに、図１４を用いて、散布条件決定処理の詳細について説明する。なお、ここで説明する散布条件決定処理とは、本第１実施形態において散布条件決定部５６が図１２のステップＳ８にて実行する処理の一例である。
【００６６】
上記散布条件決定処理では、まず、散布条件決定部５６は、道路関係データを参照し、当該単位区間が散布禁止区間であるか否かを判定し（ステップＳ１１）、散布禁止区間である場合には（ステップＳ１１：ＹＥＳ）、散布しないという散布条件を決定し（ステップＳ１２）、本処理を終了する。なお、本第１実施形態において、散布禁止区間とは、上述したトンネル、橋梁等の道路構造物区間である場合や、耕作地隣接区間である場合である。
【００６７】
一方、散布禁止区間ではない場合（ステップＳ１１：ＮＯ）、散布条件決定部５６は、除草剤散布装置１０が積載する除草剤の種別を取得し（ステップＳ１３）、当該積載除草剤が、当該単位区間に生育する雑草に対して適切な除草剤であるか否かを判定する（ステップＳ１４）。その判定の結果、適切でない場合には（ステップＳ１４：ＮＯ）、散布しないという散布条件を決定し（ステップＳ１２）、本処理を終了する。
【００６８】
一方、積載されている除草剤が適切な場合（ステップＳ１４：ＹＥＳ）、散布条件決定部５６は、道路関係データに基づいて当該単位区間が盛土区間であるか切土区間であるかを判定する（ステップＳ１５）。その判定の結果、切土区間である場合（ステップＳ１５：切土）、散布条件決定部５６は、前方上段散布ノズル１２ａ、後方上段散布ノズル１２ｄおよび後方中段散布ノズル１２ｅをＯＮにするという散布条件を設定する（ステップＳ１６）。一方、盛土区間である場合（ステップＳ１５：盛土）、散布条件決定部５６は、前方中段散布ノズル１２ｂおよび前方下段散布ノズル１２ｃをＯＮにするという散布条件を設定する（ステップＳ１７）。これにより、法面の構造に応じて適切な散布条件が自動的に設定される。
【００６９】
つづいて、散布条件決定部５６は、当該単位区間にガードレールがあるか否かを判定し（ステップＳ１８）、ガードレールがある場合には（ステップＳ１８：ＹＥＳ）、散布条件決定部５６は、強制的に前方下段散布ノズル１２ｃをＯＮにするという散布条件を追加する（ステップＳ１９）。一方、ガードレールがない場合には（ステップＳ１８：ＮＯ）、散布条件決定部５６は、ステップＳ１６またはステップＳ１７で設定した散布条件をそのまま採用し、散布条件出力ステップ（Ｓ９）へ戻る。
【００７０】
以上のようにして、道路関係データが保持する法面の構造、道路構造物、および植生情報に基づいて、各単位区間ごとに散布条件が決定される。
【００７１】
以上のような本第１実施形態によれば、以下のような効果を奏する。
１．法面の構造（切土または盛土）に応じた散布範囲に除草剤を自動的に散布でき、作業員の安全性や作業効率を向上するとともに、作業コストを低減することができる。
２．法面の構造（切土または盛土）に応じて、散布範囲をカバーする散布ノズルのＯＮ／ＯＦＦを自動的に切り替えることができ、装置構成も簡便である。
３．散布ノズルの多段化、および散布角度の調節により、法面の地形変化に応じた散布条件を自由に設定することができる。
４．橋梁やトンネルなどの除草剤の散布が不要な区間、または耕作地が隣接する区間等の除草剤を散布すべきでない区間では、除草剤の散布を自動的に停止することができる。
５．積載する除草剤の効果のない雑草が繁茂する区間では、除草剤の散布を自動で停止することができ、除草剤を無駄に散布してしまうのを防止することができる。
６．ガードレール等の除草剤の散布の妨げとなるような道路構造物が存在する場合でも、散布範囲内にムラなく除草剤を散布することができる。
７．適した散布量の除草剤を必要な場所にのみ散布することができ、環境負荷およびコストを低減し、高精度な植生の抑制が可能となる。
【００７２】
つぎに、本発明に係る除草剤自動散布制御装置、除草剤散布装置、除草剤自動散布制御システム、除草剤自動散布制御プログラムおよび除草剤自動散布制御方法の第２実施形態について説明する。なお、第２実施形態における構成のうち、上述した第１実施形態と同一もしくは相当する構成は同一の符号を付し、再度の説明を省略する。
【００７３】
上述した第１実施形態では、除草剤散布装置１０が、複数の散布ノズル１２を鉛直方向に異なる高さで備えていた。これに対し、第２実施形態では、除草剤散布装置１０が、除草剤の散布角度を自動調整可能な角度可変散布ノズルを有している点に特徴がある。この角度可変散布ノズルには、散布角度を変更するための駆動機構が設けられている。また、当該駆動機構は、除草剤自動散布制御装置１から出力された制御信号に応じて、角度可変散布ノズルの散布角度を調整し、所望の散布角度に設定するようになっている。
【００７４】
また、上述した第１実施形態では、散布条件データとして、法面の構造等に応じて使用する散布ノズル１２が設定されていた。これに対し、第２実施形態では、散布条件データとして、法面の構造等に応じて適切な散布角度が設定されている。例えば、鉛直方向下方を０度とすると、切土区間では散布角度を６０〜９０°程度の範囲内に指定する。一方、盛土区間では散布角度３０〜６０°程度の範囲内に指定する。これにより、複数の散布ノズル１２を設けなくても、広範な散布範囲に対応できることとなる。
【００７５】
以上のような第２実施形態の除草剤自動散布システム、除草剤自動散布制御装置１、除草剤散布装置１０、除草剤自動散布制御プログラム１ａおよび除草剤自動散布制御方法によれば、上述した第１実施形態と同様の効果を奏する。
【００７６】
つぎに、本発明に係る除草剤自動散布制御装置、除草剤散布装置、除草剤自動散布制御システム、除草剤自動散布制御プログラムおよび除草剤自動散布制御方法の具体的な実施例について説明する。
【実施例１】
【００７７】
本実施例１では、上述した第１実施形態における路肩側除草剤散布装置１０ａを備えた除草剤自動散布システムを用いて除草剤を自動散布する実験を行った。具体的には、まず、各散布ノズル１２ａ〜１２ｅの散布巾を１ｍ巾に設定するとともに、各散布角度を手動で調整して固定した。
【００７８】
本実施例１では、前方上段散布ノズル１２ａおよび後方上段散布ノズル１２ｄの散布巾がそれぞれ重ならず、切土区間の上方〜中央の範囲に散布するように散布角度を調整した。また、後方中段散布ノズル１２ｅが、切土区間の中央〜下方の範囲に除草剤を散布するように散布角度を調整した。
【００７９】
また、前方中段散布ノズル１２ｂが、盛土区間の上方〜中央の範囲に除草剤を散布するように散布角度を調整し、前方下段散布ノズル１２ｃが盛土区間の中央〜下方の範囲に散布するように散布角度を調整した。
【００８０】
そして、切土区間では前方上段散布ノズル１２ａ、後方上段散布ノズル１２ｄおよび後方中段散布ノズル１２ｅが選択されるように散布条件を設定した。一方、盛土区間では前方中段散布ノズル１２ｂおよび前方下段散布ノズル１２ｃが選択されるように散布条件を設定した。
【００８１】
以上の設定において、除草剤散布車１１により施工速度２０ｋｍ／ｈで走行しながら、噴射量が０．１リットル／ｓに設定された各散布ノズル１２から、路肩側の法面に除草剤を自動散布した。
【００８２】
上記自動散布実験の結果、切土区間では３メートル巾の散布範囲に、盛土区間では２メートル巾の散布範囲に、効果的に除草剤が散布されることを確認した。また、除草剤散布車１１の走行中であっても、除草剤が大きくドリフトすることが無く、車速、風による散布範囲の変動は少ないことを確認した。
【００８３】
以上の本実施例１によれば、本発明に係る除草剤自動散布制御システムによって、道路の法面構造に応じた散布範囲に対して除草剤を効果的に自動散布できることが示された。
【００８４】
なお、本発明に係る除草剤自動散布制御装置１、除草剤散布装置１０、除草剤自動散布制御システム、除草剤自動散布制御プログラム１ａおよび除草剤自動散布制御方法は、前述した各実施形態に限定されるものではなく、適宜変更することができる。
【００８５】
例えば、上述した各実施形態では、大量の除草剤を積載可能なタンク１１ａを使用しているため、各散布区間に必要な除草剤の総散布量を把握する必要はない。しかしながら、道路関係データと散布条件データとに基づいて、各散布区間内に必要な除草剤の総散布量を事前に計算してもよい。
【００８６】
除草剤の総散布量を事前に把握することで、除草剤の積み替えタイミングや、散布区間の決定等のような散布計画を立てる際に活用することができる。また、除草剤を余すことなく効果的に散布し、除草剤作業終了後の残量を低減することができる。
【００８７】
また、上述した各実施形態では、既存の散水車を改造した除草剤散布車１１を使用していたため、タンク１１ａは一つだけであったが、この構成に限定されるものではない。すなわち、平ボディーのトラックに複数のタンクを備えて除草剤散布車１１とし、各タンクに異なる種別の除草剤を積載してもよい。この場合、除草剤散布装置１０は、各タンクに接続されて互いに異なる種別の除草剤を散布可能な複数の散布ノズル１２を有することとなる。また、散布条件データには、雑草の種別に応じて、当該雑草に適した除草剤を散布する散布ノズル１２を使用するように散布条件データに登録する。これにより、雑草の種別に応じて異なる複数の除草剤を自動的に散布することができる。なお、一つのタンクしかない除草剤散布車１１では、複数種の除草剤を混ぜ合わせたブレンド除草剤を散布するようにしてもよい。
【００８８】
さらに、上述した各実施形態では、散布条件データとして、各雑草に適した除草剤の種別のみを登録しているが、この構成に限定されるものではない。例えば、雑草の種別ごとに散布適期、吸収部位、使用量等の情報もあわせて登録し、これらに応じて散布条件を適宜変更するようにしてもよい。例えば、散布適期から外れている場合は散布しないという散布条件にしてもよく、使用量が多い雑草については噴射量を大きくするという散布条件にしてもよい。
【００８９】
また、上述した各実施形態では、散布条件データとして、使用する散布ノズルや、散布ノズルの散布角度が設定されていたが、この構成に限定されるものではない。例えば、道路関係データとして、除草剤を散布すべき散布巾を別途登録するとともに、散布条件データとして、各散布巾に応じた散布ノズルの噴射量を登録してもよい。これにより、散布巾に応じて散布ノズルの噴射量を自動的に調整することも可能である。
【００９０】
さらに、除草剤散布車１１の走行速度に応じて、除草剤の散布量や散布角度を自動的に調整するようにしてもよい。具体的には、演算処理手段５の機能部として、除草剤散布装置１０を搭載した除草剤散布車１１の走行速度を取得する走行速度取得部を追加する。また、散布条件データには、走行速度に応じて、除草剤の噴射量および／または角度可変散布ノズルの散布角度を設定する。これにより、例えば、走行速度が遅い場合は噴射量を少なくする一方、早い場合は噴射量を多くして、散布量を一定に保持することが可能となる。また、走行速度が遅い場合は散布角度を大きくする一方、早い場合は散布角度を小さくしてドリフトを抑制し、散布範囲を一定に保持することが可能となる。
【符号の説明】
【００９１】
１  除草剤自動散布制御装置
１ａ  除草剤自動散布制御プログラム
２  位置検出手段
３  表示入力手段
４  記憶手段
５  演算処理手段
１０  除草剤散布装置
１０ａ  路肩側除草剤散布装置
１０ｂ  中央分離帯側除草剤散布装置
１１  除草剤散布車
１１ａ  タンク
１２  散布ノズル
１２ａ  前方上段散布ノズル
１２ｂ  前方中段散布ノズル
１２ｃ  前方下段散布ノズル
１２ｄ  後方上段散布ノズル
１２ｅ  後方中段散布ノズル
１２ｆ  上段散布ノズル
１２ｇ  中段散布ノズル
１２ｈ  下段散布ノズル
１３  電磁弁
４１  プログラム記憶部
４２  単位区間データ記憶部
４３  道路関連データ記憶部
４４  散布条件データ記憶部
５１  散布区間設定部
５２  現在位置データ取得部
５３  単位区間特定部
５４  道路関係データ取得部
５５  散布条件データ取得部
５６  散布条件決定部
５７  散布条件出力部
【要約】
【課題】法面の構造に応じた散布範囲に除草剤を自動的に散布でき、作業員の安全性や作業効率を向上するとともに、作業コストを低減することができる除草剤自動散布制御装置、除草剤散布装置、除草剤自動散布制御システム、除草剤自動散布プログラムおよび除草剤自動散布制御方法を提供する。
【解決手段】除草剤散布装置１０に除草剤を自動散布させるための除草剤自動散布制御装置１であって、現在位置データ取得部５２と、単位区間特定部５３と、道路関係データ取得部５４と、散布条件データ取得部５５と、散布条件決定部５６と、散布条件出力部５７とを有する。
【選択図】  図４【図１】
0005898813.tif 000002
【図２】
0005898813.tif 000003
【図３】
0005898813.tif 000004
【図４】
0005898813.tif 000005
【図５】
0005898813.tif 000006
【図６】
0005898813.tif 000007
【図７】
0005898813.tif 000008
【図８】
0005898813.tif 000009
【図９】
0005898813.tif 000010
【図１０】
0005898813.tif 000011
【図１１】
0005898813.tif 000012
【図１２】
0005898813.tif 000013
【図１４】
0005898813.tif 000014
【図１３】
0005898813.tif 000015